(57)【要約】【課題】リモコンによる操作が行われず、本体操作部のみで使われていた回数が所定回数を越えた場合、他の機器のリモコン操作に反応して動作してしまうのを防止することが可能な画像表示装置を提供する。【解決手段】電源をオンしてからオフするまでの間、リモコン２５による操作が一度も行われず、本体操作部２３のみによって操作された本体操作使用回数２１ａが所定の回数を越えた場合（ステップＳ１１４：Ｙ）にリモコン操作保留フラグ２１ｂをセット（ステップＳ１１５）し、次にリモコン２５で操作しようとした場合（ステップＳ１１８：Ｙ）に、その操作を保留（ステップＳ１１９：Ｙ）し、報知部３０により報知（ステップＳ１２０）する。【選択図】図２
2012178648.tif 000002
【特許請求の範囲】
【請求項１】
入力する画像情報に応じた画像を表示部に表示する画像表示装置であって、
当該画像表示装置本体に備えられ、入力操作を受け付ける本体操作部と、
当該画像表示装置を遠隔操作するためのリモートコントローラーから送信される操作信号を受信する操作信号受信部と、
当該画像表示装置の電源をオンしてからオフするまでの間、前記リモートコントローラーによる操作が一度も行われず、前記本体操作部のみによって操作された当該画像表示装置の使用回数を示す本体操作使用回数、及び前記リモートコントローラーから送信される操作信号を保留するリモートコントローラー操作保留フラグを記憶する記憶部と、
前記本体操作部が受け付けた前記入力操作、および前記操作信号受信部が受信した操作信号に基づいて、当該画像表示装置の動作を制御する制御部と、
前記リモートコントローラーによる操作が保留されていることを報知する報知部と、を備え、
前記制御部は、当該画像表示装置が本体操作部の電源オン操作により起動したときに前記本体操作使用回数を加算した後、加算後の前記本体操作使用回数が所定回数を越えた場合に、前記リモートコントローラー操作保留フラグをセットし、
前記制御部は、前記リモートコントローラー操作保留フラグがセットされた状態において、前記リモートコントローラーからの操作信号を受信した場合、前記操作信号による操作を保留し、前記報知部により前記リモートコントローラーによる操作が保留されていることを報知することを特徴とする、画像表示装置。
【請求項２】
請求項１に記載の画像表示装置であって、
前記制御部は、前記報知部により前記リモートコントローラーによる操作が保留されていることを報知した状態において、画像表示部に保留メッセージを表示させることを特徴とする、画像表示装置。
【請求項３】
請求項１に記載の画像表示装置であって、
前記制御部は、前記報知部により前記リモートコントローラーによる操作が保留されていることを報知した状態において、前記操作信号受信部が所定の操作信号を受信した場合に前記リモートコントローラー操作保留フラグをクリアすることを特徴とする、画像表示装置。
【請求項４】
請求項１に記載の画像表示装置であって、
前記記憶部は、前記リモートコントローラーから送信される操作信号を無効にするリモートコントローラー操作無効フラグをさらに記憶し、
前記制御部は、前記報知部により前記リモートコントローラーによる操作が保留されていることを報知した状態において、前記本体操作部が所定の入力操作を受け付けた場合に前記リモートコントローラー操作無効フラグをセットし、
前記制御部は、前記リモートコントローラー操作無効フラグがセットされている場合、前記リモートコントローラーからの操作信号を無効にすることを特徴とする、画像表示装置。
【請求項５】
請求項４に記載の画像表示装置であって、
前記制御部は、前記報知部により前記リモートコントローラーによる操作が保留されていることを報知した状態において、所定時間内に、前記本体操作部による入力操作、及び前記リモートコントローラーから送信される操作信号のいずれも検出しなかった場合に前記リモートコントローラー操作無効フラグをセットすることを特徴とする、画像表示装置。
【請求項６】
入力する画像情報に応じた画像を表示する表示部と、
当該画像表示装置本体に備えられ、入力操作を受け付ける本体操作部と、
当該画像表示装置を遠隔操作するためのリモートコントローラーから送信される操作信号を受信する操作信号受信部と、
当該画像表示装置の電源をオンしてからオフするまでの間、前記リモートコントローラーによる操作が一度も行われず、前記本体操作部のみによって操作された当該画像表示装置の使用回数を示す本体操作使用回数、及び前記リモートコントローラーから送信される操作信号を保留するリモートコントローラー操作保留フラグを記憶する記憶部と、
前記リモートコントローラーによる操作が保留されていることを報知する報知部と、
を備えた画像表示装置の制御方法であって、
当該画像表示装置が本体操作部の電源オン操作により起動したときに前記本体操作使用回数を加算する、本体操作使用回数加算ステップと、
前記本体操作使用回数が所定回数を越えた場合に、前記リモートコントローラー操作保留フラグをセットするリモートコントローラー操作保留ステップと、
前記リモートコントローラー操作保留フラグがセットされた状態において、前記リモートコントローラーからの操作信号を受信した場合、前記操作信号による操作を保留し、前記報知部により前記リモートコントローラーによる操作が保留されていることを報知する報知ステップと、
を有することを特徴とする、画像表示装置の制御方法。
【発明の詳細な説明】
【技術分野】
【０００１】
本発明は、画像表示装置、及び画像表示装置の制御方法に関する。
【背景技術】
【０００２】
画像を表示する画像表示装置（例えば、プロジェクター）を使用する場合、筐体に備えられた操作キー（本体キー）により操作する方法と、リモートコントローラー（リモコン）により遠隔操作する方法がある。プロジェクターを会議机の上に設置して共用で使用する場合、リモコンを使わずに本体キーのみで操作することが多い。このため、近くで他のプロジェクターがリモコン操作により使用されている場合、リモコンの操作信号に反応して意図しない動作をしてしまうことがあった。
【０００３】
他のプロジェクターのリモコン操作信号に反応してしまうのを防ぐため、メニュー設定により、リモコン操作を禁止し、本体キーのみで操作する方法もある。しかし、リモコン操作を禁止していること知らないユーザーがリモコンにより操作しようとした場合、反応しないために故障と間違えてしまう虞があった。
【０００４】
特許文献１には、複数のリモコンにそれぞれ別個のＩＤを持たせ、ＩＤの異なるリモコンによる操作信号を受信した場合にその旨の警告を行う方法が開示されている。
【先行技術文献】
【特許文献】
【０００５】
【特許文献１】特開２００９−２３９７２０号公報
【発明の概要】
【発明が解決しようとする課題】
【０００６】
しかしながら、このようなＩＤ機能を持つリモコンは、一般のリモコンに比べてコストアップになってしまうという問題があった。
【課題を解決するための手段】
【０００７】
本発明は、上述の課題の少なくとも一部を解決するためになされたものであり、以下の形態または適用例として実現することが可能である。
【０００８】
［適用例１］本適用例に係る画像表示装置は、入力する画像情報に応じた画像を表示部に表示する画像表示装置であって、当該画像表示装置本体に備えられ、入力操作を受け付ける本体操作部と、当該画像表示装置を遠隔操作するためのリモートコントローラーから送信される操作信号を受信する操作信号受信部と、当該画像表示装置の電源をオンしてからオフするまでの間、前記リモートコントローラーによる操作が一度も行われず、前記本体操作部のみによって操作された当該画像表示装置の使用回数を示す本体操作使用回数、及び前記リモートコントローラーから送信される操作信号を保留するリモートコントローラー操作保留フラグを記憶する記憶部と、前記本体操作部が受け付けた前記入力操作、および前記操作信号受信部が受信した操作信号に基づいて、当該画像表示装置の動作を制御する制御部と、前記リモートコントローラーによる操作が保留されていることを報知する報知部と、を備え、前記制御部は、当該画像表示装置が本体操作部の電源オン操作により起動したときに前記本体操作使用回数を加算した後、加算後の前記本体操作使用回数が所定回数を越えた場合に、前記リモートコントローラー操作保留フラグをセットし、前記制御部は、前記リモートコントローラー操作保留フラグがセットされた状態において、前記リモートコントローラーからの操作信号を受信した場合、前記操作信号による操作を保留し、前記報知部により前記リモートコントローラーによる操作が保留されていることを報知することを特徴とする。
【０００９】
本適用例によれば、画像表示装置の電源をオンしてからオフするまでの間、リモートコントローラーによる操作が一度も行われず、本体操作部のみによって操作された使用回数が所定の回数を越えた場合にリモートコントローラー操作保留フラグをセットし、次にリモートコントローラーで操作しようとした場合に、その操作を保留し、報知部により報知する。つまり、長期間、リモートコントローラーを使わずに本体操作部だけの操作により画像表示装置を使用していた状態において、リモートコントローラー操作を検出した場合、その操作を実行せずにユーザーに保留状態を報知するので、リモートコントローラーの故障でなく、保留状態であることがわかり、周辺のほかの機器のリモートコントローラー操作信号を受信したのか、しばらく使っていなかったリモートコントローラーを使って画像表示装置を操作しようとしたのか確認を促すことが可能となる。
【００１０】
［適用例２］上記適用例に記載の画像表示装置において、前記制御部は、前記報知部により前記リモートコントローラーによる操作が保留されていることを報知した状態において、画像表示部に保留メッセージを表示させることを特徴とする。
【００１１】
本適用例によれば、リモートコントローラー操作が保留されている状態において、報知部での報知とともに画像表示部でリモートコントローラー操作が保留されていることを確認できるので、ユーザーに対し、周辺のほかの機器のリモートコントローラー操作信号を受信したのか、ユーザーがしばらく使っていなかったリモートコントローラーを使って画像表示装置を操作しようとしたのか、より確実に確認を促すことが可能となる。
【００１２】
［適用例３］上記適用例に記載の画像表示装置において、前記制御部は、前記報知部により前記リモートコントローラーによる操作が保留されていることを報知した状態において、前記操作信号受信部が所定の操作信号を受信した場合に前記リモートコントローラー操作保留フラグをクリアすることを特徴とする。
【００１３】
本適用例によれば、リモートコントローラーによる操作が保留されている報知状態において、所定の操作信号を受信した場合にリモートコントローラー操作保留フラグをクリアし、保留状態を解除する。これにより、長期間、リモートコントローラーを使わずに本体操作部だけの操作により画像表示装置を使用していた状態において、リモートコントローラーによる操作を検出した場合に、その操作を実行せずにユーザーに報知し、所定の操作を行わない限り、その操作を保留するので、周辺の機器のリモートコントローラー操作信号を受信したような場合は、ユーザーの意図しない動作を画像表示装置がしてしまうことを防止し、ユーザーがリモートコントローラーにより操作しようとした場合は、所定の確認操作により、以降は報知することなく、リモートコントローラーによる操作が可能となる。
【００１４】
［適用例４］上記適用例に記載の画像表示装置において、前記記憶部は、前記リモートコントローラーから送信される操作信号を無効にするリモートコントローラー操作無効フラグをさらに記憶し、前記制御部は、前記報知部により前記リモートコントローラーによる操作が保留されていることを報知した状態において、前記本体操作部が所定の入力操作を受け付けた場合に前記リモートコントローラー操作無効フラグをセットし、前記制御部は、前記リモートコントローラー操作無効フラグがセットされている場合、前記リモートコントローラーからの操作信号を無効にすることを特徴とする。
【００１５】
本適用例によれば、リモートコントローラーによる操作が保留されている報知状態において、本体操作部による所定の操作を受け付けた場合にリモートコントローラー操作無効フラグをセットし、以後のリモートコントローラーによる操作を無効にする。これにより、リモートコントローラーを使わずに本体操作部だけの操作によりプロジェクター１を使用中に周辺機器のリモートコントローラーによる操作に反応してリモートコントローラーの保留状態が報知された場合、直ちにリモートコントローラーによる操作を無効にし、以後リモートコントローラー操作信号を受信するたびに保留状態が報知されるのを防止することが可能となる。
【００１６】
［適用例５］上記適用例４に記載の画像表示装置において、前記制御部は、前記報知部により前記リモートコントローラーによる操作が保留されていることを報知した状態において、所定時間内に、前記本体操作部による入力操作、及び前記リモートコントローラーから送信される操作信号のいずれも検出しなかった場合に前記リモートコントローラー操作無効フラグをセットすることを特徴とする。
【００１７】
本適用例によれば、リモートコントローラーによる操作が保留されている報知状態において、所定時間内に本体操作部による所定の入力操作、リモートコントローラーによる所定の操作信号のいずれも検出しなかった場合にリモートコントローラー操作無効フラグをセットし、以後リモートコントローラーによる操作を無効にする。これにより、例えば、ユーザーが画像表示装置から離れており、報知部の報知に気づかない場合、所定時間経過後は以後のリモートコントローラーによる操作が無効になり、周辺の他の機器のリモートコントローラー操作信号に反応して、都度報知が繰り返され、画像表示装置の動作に影響を及ぼすことを防止することが可能となる。
【００１８】
［適用例６］本適用例に係る画像表示装置の制御方法は、入力する画像情報に応じた画像を表示する表示部と、当該画像表示装置本体に備えられ、入力操作を受け付ける本体操作部と、当該画像表示装置を遠隔操作するためのリモートコントローラーから送信される操作信号を受信する操作信号受信部と、当該画像表示装置の電源をオンしてからオフするまでの間、前記リモートコントローラーによる操作が一度も行われず、前記本体操作部のみによって操作された当該画像表示装置の使用回数を示す本体操作使用回数、及び前記リモートコントローラーから送信される操作信号を保留するリモートコントローラー操作保留フラグを記憶する記憶部と、前記リモートコントローラーによる操作が保留されていることを報知する報知部と、を備えた画像表示装置の制御方法であって、当該画像表示装置が本体操作部の電源オン操作により起動したときに前記本体操作使用回数を加算する、本体操作使用回数加算ステップと、前記本体操作使用回数が所定回数を越えた場合に、前記リモートコントローラー操作保留フラグをセットするリモートコントローラー操作保留ステップと、前記リモートコントローラー操作保留フラグがセットされた状態において、前記リモートコントローラーからの操作信号を受信した場合、前記操作信号による操作を保留し、前記報知部により前記リモートコントローラーによる操作が保留されていることを報知する報知ステップと、を有することを特徴とする。
【００１９】
本適用例によれば、画像表示装置の電源をオンしてからオフするまでの間、リモートコントローラーによる操作が一度も行われず、本体操作部のみによって操作された使用回数が所定の回数を越えた場合にリモートコントローラー操作保留フラグをセットし、次にリモートコントローラーにより操作しようとした場合に、その操作を保留し、報知部により報知する。これにより、長期間、リモートコントローラーを使わずに本体操作部だけの操作により画像表示装置を使用していた状態において、リモートコントローラーによる操作を検出した場合に、その操作を実行せずにユーザーに保留状態を報知するので、リモートコントローラーの故障でなく、保留状態であることがわかり、周辺のほかの機器のリモートコントローラー操作信号を受信したのか、しばらく使っていなかったリモートコントローラーを使って画像表示装置を操作しようとしたのか確認を促すことが可能となる。
【図面の簡単な説明】
【００２０】
【図１】プロジェクターの回路構成を示すブロック図。
【図２】プロジェクターの動作を示すフローチャート。
【図３】プロジェクターの報知メッセージＭ１を示す図。
【図４】プロジェクターの本体操作部のキーを示す図。
【図５】プロジェクターのリモコンの操作キーを示す図。
【発明を実施するための形態】
【００２１】
以下、図面を参照して本発明の一実施形態であるプロジェクター１について説明するが、以下の実施形態は特許請求の範囲にかかる発明を限定するものではなく、また、実施形態における特徴の組み合わせの全てが発明の解決手段に必須であるとは限らない。
【００２２】
（第１実施形態）
図１は、本実施形態のプロジェクター１の回路構成を示すブロック図である。
図１に示すように、画像表示装置としてのプロジェクター１は、表示部としての画像投写部１０、制御部２０、記憶部２１、光源制御部２２、本体操作部２３、操作信号受信部２４、画像信号入力部５、画像信号処理部３、ＯＳＤ処理部４、電源端子６、電源部７、報知部３０等で構成されており、これらは図示しない筐体の内部に収容されている。
【００２３】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、表示部に相当するものであり、光源１１から射出された光を、液晶ライトバルブ１２Ｒ、１２Ｇ、１２Ｂで変調し、投写レンズ１３から投写することによってスクリーンＳＣ等に画像を表示する。
【００２４】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２５】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２６】
上記実施形態では、光源１１として光源ランプ１１ａを用いて投写するプロジェクター１を例示したが、本発明は、光源としてＬＥＤ（Light emitting diode）光源やレーザー光源などを用いて投写するプロジェクターにも適用することができる。
なお、上記実施形態では、画像投写部１０は、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２７】
制御部２０は、図示しないＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。また、制御部２０には、時間の計測を行うためのタイマー２０ａが備えられている。
【００２８】
本体操作部２３は、プロジェクター１の本体筐体外面に備えられ、ユーザーからの入力操作を受け付けるものであり、ユーザーがプロジェクター１に対して各種指示を行うための複数の操作キーを備えている。
図４に示すように、本体操作部２３が備える操作キーとしては、電源のオン・オフを交互に切り替えるための電源キー２３ａや、画像信号入力部５に入力される複数の画像入力端子を切り替えるための入力切替キー２３ｂ、各種設定を行うための設定メニューを重畳表示させるメニューキー２３ｃ、メニューからユーザーが設定項目を選択するカーソルキー２３ｄ、決定キー２３ｅ、エスケープキー２３ｆ、ヘルプキー２３ｇ等がある。ユーザーが本体操作部２３の各種操作キーを操作すると、本体操作部２３は、ユーザーの操作内容に応じた操作信号を制御部２０に出力する。
【００２９】
図１に示すように、操作信号受信部２４は、遠隔操作で入力操作を行うリモートコントローラー（リモコン／ＲＣとも称する）２５からの操作信号を受信し、ユーザーの操作内容に応じた、操作信号を制御部２０に出力する。
図５に示すように、リモコン２５が備える操作キーとしては、本体操作部２３と同等である、電源キー２５ａ、入力切替キー２５ｂ、メニューキー２５ｃ、カーソルキー２５ｄ、決定キー２５ｅ、エスケープキー２５ｆ、ヘルプキー２５ｇのキーに加え、画面ミュートキー２５ｈ、画面縦横比切替キー２５ｉ、カラーモード切替キー２５ｊ、番号入力キー２５ｋ等がある。
【００３０】
図１に示すように、記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。
本実施形態では、電源をオンしてからオフするまでの間、リモコン２５による操作が一度も行われず、本体操作部２３のみによって操作されたプロジェクター１の使用回数を示す本体操作使用回数２１ａ、リモコン２５から送信される操作信号を保留するリモートコントローラー（リモコン）操作保留フラグ２１ｂ、及びリモコン２５から送信される操作信号を無効にするリモートコントローラー（リモコン）操作無効フラグ２１ｃが記憶部２１に保存される。
【００３１】
本体操作使用回数２１ａは、本体操作部２３の電源オン操作により起動したときにカウントアップされ、リモコン操作保留フラグ２１ｂがクリアされた状態で、リモコン２５からの操作信号を受信したときにリセットされる。
【００３２】
リモコン操作保留フラグ２１ｂは、本体操作部２３の電源オン操作によって起動し、本体操作使用回数２１ａがカウントアップされた後、本体操作使用回数２１ａが所定の回数（例えば２０回）を越えていた場合にセットされる。
リモコン操作保留フラグ２１ｂがセットされた状態でリモコン２５による操作信号を検出した場合、報知部３０によりリモコン２５による操作が保留されていることをユーザーに報知する。リモコン操作保留フラグ２１ｂは、上述した報知状態において、リモコン２５による所定の操作を検出した場合にクリアされ、以後、リモコン２５による操作は有効となる。
【００３３】
リモコン操作無効フラグ２１ｃは、リモコン操作保留フラグ２１ｂがセットされた状態でリモコン２５による操作信号を検出した場合、報知部３０によりリモコン２５による操作が保留されていることをユーザーに報知した後、本体操作部２３による所定の操作を受け付けた場合にセットされる。リモコン操作無効フラグ２１ｃがセットされた状態においてリモコン２５による操作信号を検出した場合、その操作は無効となる。リモコン操作無効フラグ２１ｃはプロジェクター１の電源オン時にクリアされる。
【００３４】
画像信号入力部５は、上述したように図示しない複数の画像入力端子を備えており、各画像入力端子より、ビデオ再生装置やパーソナルコンピューター等、外部の画像出力装置から、図示しないケーブルを介して画像情報が入力される。
【００３５】
画像信号処理部３は、画像信号入力部５から入力される画像情報を、液晶ライトバルブ１２Ｒ、１２Ｇ、１２Ｂの各画素の階調を表す画像情報に変換する。ここで、変換された画像情報は、Ｒ、Ｇ、Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３６】
ＯＳＤ処理部４は、制御部２０の指示に基づいて、投写画像上に、メニュー画像やメッセージ画像等のＯＳＤ（オンスクリーンディスプレイ）画像を重畳して表示するための処理を行う。ＯＳＤ処理部４は、図示しないＯＳＤメモリーを備えており、ＯＳＤ画像を形成するための図形やフォント等を表すＯＳＤ画像情報を記憶している。
制御部２０が、ＯＳＤ画像の重畳表示を指示すると、ＯＳＤ処理部４は、必要なＯＳＤ画像情報をＯＳＤメモリーから読み出し、投写画像上の所定の位置にＯＳＤ画像が重畳されるように、画像信号処理部３から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部４は、画像信号処理部３から入力される画像情報を、そのまま液晶駆動部１４に出力する。
【００３７】
液晶駆動部１４は、本実施形態における画像形成部であり、ＯＳＤ処理部４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３８】
電源部７には、ＡＣ１００Ｖ等の電力が電源端子６を介して外部から供給される。電源部７は、例えば、商用電源（交流電源）からの交流電力を、所定の電圧の直流電力に変換して、プロジェクター１の各部に電力を供給する。また、電源部７は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３９】
報知部３０は、ＬＥＤ（Light Emitting Diode）、ブザーなどで構成され、制御部２０からの指示により、リモコン操作保留フラグ２１ｂがセットされた状態でリモコン２５による入力操作を検出したときに報知する。
【００４０】
光源制御部２２は、制御部２０の指示に基づいて、光源１１に対する電力の供給と停止とを制御し、光源１１の点灯及び消灯を切り替える。
【００４１】
次に、本実施形態のプロジェクター１の動作を、図２のフローチャートを用いて説明する。
図２はプロジェクター１の動作を示すフローチャートである。
図２に示すように、プロジェクター１がスタンバイ状態において、本体操作部２３またはリモコン２５の操作信号により電源オン操作を検出すると（ステップＳ１０１）、制御部２０は、電源オン（ＯＮ）操作がリモコン２５によるものか否かを調べる（ステップＳ１０２）。
リモコン２５による電源オン操作の場合は（ステップＳ１０２：Ｙ）、ステップＳ１０３に遷移する。一方、リモコン２５による電源オン操作でない場合、即ち本体操作部２３による電源オン操作の場合は（ステップＳ１０２：Ｎ）、ステップＳ１１２に遷移する。
【００４２】
ステップＳ１０３において制御部２０は、リモコン操作保留フラグ２１ｂがセット（ＯＮ）されているか、否かを調べる。リモコン操作保留フラグ２１ｂがセット（ＯＮ）されている場合（ステップＳ１０３：Ｙ）、ステップＳ１０４に遷移する。一方、リモコン操作保留フラグ２１ｂがセット（ＯＮ）されていない場合（ステップＳ１０３：Ｎ）、ステップＳ１０９に遷移する。
【００４３】
ステップＳ１０４において制御部２０は、報知部３０により、リモコン２５による操作が保留されていることを報知し、タイマー２０ａにより計時をスタートさせ、ステップＳ１０５に遷移する。
【００４４】
ステップＳ１０５において制御部２０は、リモコン２５による所定の確認操作の操作信号（例えば、決定キー２５ｅ）を検出したか否かを調べる。確認操作を検出した場合（ステップＳ１０５：Ｙ）、ステップＳ１０９に遷移する。一方、確認操作を検出していない場合（ステップＳ１０５：Ｎ）、ステップＳ１０６に遷移する。
【００４５】
ステップＳ１０６において制御部２０は、タイマー２０ａによる計時が所定時間（例えば１０秒）を経過したか否かを調べる。タイマー２０ａが所定時間を経過した場合（ステップＳ１０６：Ｙ）、ステップＳ１０７に遷移する。一方、タイマー２０ａが所定時間を経過していない場合（ステップＳ１０６：Ｎ）、ステップＳ１０５に遷移する。
【００４６】
ステップＳ１０７において制御部２０は、報知部３０による報知を終了し、タイマー２０ａによる計時を停止した後、プロジェクター１をスタンバイ状態に移行し（ステップＳ１０８）、本フローを終了する。
【００４７】
ステップＳ１０９において制御部２０は、リモコン操作保留フラグ２１ｂをクリア（ＯＦＦ）し、タイマー２０ａによる計時を停止した後、報知部３０による報知を終了し、
ステップＳ１１０に遷移する。
【００４８】
ステップＳ１１０において制御部２０は、プロジェクター１の電源をオン（ＯＮ）し、動作状態に移行した後、ステップＳ１１１に遷移する。
【００４９】
ステップＳ１１１において制御部２０は、本体操作使用回数２１ａをリセットし、ステップＳ１１６に遷移する。
【００５０】
ステップＳ１１２において制御部２０は、プロジェクター１の電源をオン（ＯＮ）し、動作状態に移行した後、ステップＳ１１３に遷移する。
【００５１】
ステップＳ１１３において制御部２０は、本体操作使用回数２１ａの値を１増やし、ステップＳ１１４に遷移する。
【００５２】
ステップＳ１１４において制御部２０は、本体操作使用回数２１ａの値が所定回数（例えば２０回）を越えたか否かを調べる。本体操作使用回数２１ａが所定回数を越えた場合（ステップＳ１１４：Ｙ）、リモコン操作保留フラグ２１ｂをセット（ＯＮ）し（ステップＳ１１５）、ステップＳ１１６に遷移する。
一方、本体操作使用回数２１ａが所定回数を越えていない場合（ステップＳ１１４：Ｎ）、ステップＳ１１６に遷移する。
【００５３】
ステップＳ１１６において制御部２０は、本体操作部２３による操作（本体キー操作）を検出したか否かを調べる。本体操作部２３による操作を検出した場合（ステップＳ１１６：Ｙ）、ステップＳ１３０に遷移する。一方、本体操作部２３による操作を検出していない場合（ステップＳ１１６：Ｎ）、ステップＳ１１７に遷移する。
【００５４】
ステップＳ１３０において制御部２０は、ステップＳ１１７において検出した操作が電源オフ操作か否かを調べる。電源オフ操作の場合（ステップＳ１３０：Ｙ）、ステップＳ１３２に遷移する。一方、電源オフ操作でない場合（ステップＳ１３０：Ｎ）、検出した操作に基づく処理（操作入力処理）を行い（ステップＳ１２４）、ステップＳ１１６に遷移する。
【００５５】
ステップＳ１１７において制御部２０は、リモコン操作無効フラグ２１ｃがセット（ＯＮ）されているか否かを調べる。リモコン操作無効フラグ２１ｃがセット（ＯＮ）されている場合（ステップＳ１１７：Ｙ）、ステップＳ１１６に遷移する。一方、リモコン操作無効フラグ２１ｃがセット（ＯＮ）されていない場合（ステップＳ１１７：Ｎ）、ステップＳ１１８に遷移する。
【００５６】
ステップＳ１１８において制御部２０は、操作信号受信部２４がリモコン２５の操作信号を検出したか否かを調べる。リモコン２５の操作信号を検出した場合（ステップＳ１１８：Ｙ）、ステップＳ１１９に遷移する。一方、リモコン２５の操作信号を検出していない場合（ステップＳ１１８：Ｎ）、ステップＳ１１６に遷移する。
【００５７】
ステップＳ１１９において制御部２０は、リモコン操作保留フラグ２１ｂがセット（ＯＮ）されているか否かを調べる。リモコン操作保留フラグ２１ｂがセット（ＯＮ）されている場合（ステップＳ１１９：Ｙ）、ステップＳ１２０に遷移する。一方、リモコン操作保留フラグ２１ｂがセット（ＯＮ）されていない場合（ステップＳ１１９：Ｎ）、ステップＳ１３１に遷移する。
【００５８】
ステップＳ１３１において制御部２０は、ステップＳ１１８において検出した操作が電源オフ操作か否かを調べる。電源オフ操作の場合（ステップＳ１３１：Ｙ）、ステップＳ１３２に遷移する。一方、電源オフ操作でない場合（ステップＳ１３１：Ｎ）、検出した操作に基づく処理（操作入力処理）を行い（ステップＳ１２５）、本体操作使用回数２１ａをリセットし（ステップＳ１２６）、ステップＳ１１６に遷移する。
【００５９】
ステップＳ１２０において制御部２０は、報知部３０による報知を行い、画像投写部１０に報知メッセージＭ１を投写した後、ステップＳ１２１に遷移する。この時の報知メッセージＭ１を図３に示す。
【００６０】
ステップＳ１２１において制御部２０は、操作信号受信部２４がリモコン２５による所定の操作（例えば、決定キー２５ｅなどによる確認操作）の操作信号を検出したか否かを調べる。確認操作を検出した場合（ステップＳ１２１：Ｙ）、ステップＳ１２７に遷移する。一方、確認操作を検出していない場合（ステップＳ１２１：Ｎ）、ステップＳ１２２に遷移する。
【００６１】
ステップＳ１２２において制御部２０は、本体操作部２３が所定の操作（例えば、決定キー２３ｅなどによる確認操作）を受け付けたか否か調べる。確認操作を検出した場合（ステップＳ１２２：Ｙ）、ステップＳ１２３に遷移する。一方、確認操作を検出していない場合（ステップＳ１２２：Ｎ）、ステップＳ１２１に遷移する。
【００６２】
ステップＳ１２３において制御部２０は、リモコン操作無効フラグ２１ｃをセット（ＯＮ）し、ステップＳ１２９に遷移する。
【００６３】
ステップＳ１２７において制御部２０は、リモコン操作保留フラグ２１ｂをクリア（ＯＦＦ）し、ステップＳ１２８に遷移する。
【００６４】
ステップＳ１２８において制御部２０は、本体操作使用回数２１ａをリセットし、ステップＳ１２９に遷移する。
【００６５】
ステップＳ１２９において制御部２０は、報知部３０による報知を終了し、画像投写部１０への報知メッセージＭ１の投写を終了し、ステップＳ１１６に遷移する。
【００６６】
ステップＳ１３２において制御部２０は、プロジェクター１をスタンバイ状態に移行し、本動作フローを終了する。
【００６７】
以上説明したように、本実施形態のプロジェクター１によれば、電源をオンしてからオフするまでの間、リモコン２５による操作が一度も行われず、本体操作部２３のみによって操作された本体操作使用回数２１ａが所定の回数を越えた場合にリモコン操作保留フラグ２１ｂをセットし、次にリモコン２５で操作しようとした場合に、その操作を保留し、報知部３０により報知される。
【００６８】
これにより、長期間、リモコン２５を使わずに本体操作部２３だけの操作によりプロジェクター１を使用していた場合、リモコン２５による操作を検出したときに、その操作を実行せずにユーザーに報知するので、リモコン２５の故障でなく、保留状態であることがわかり、周辺のほかの機器のリモコン操作信号を受信したのか、ユーザーがしばらく使っていなかったリモコン２５を使ってプロジェクター１を操作しようとしたのか確認を促すことが可能となる。
【００６９】
また、上述した報知部３０による報知を行った後、リモコン２５による所定の操作を検出した場合、リモコン操作保留フラグ２１ｂをクリアし、保留状態を解除する。これにより、周辺の機器のリモコン操作信号を受信したような場合は、ユーザーの意図しない動作をしてしまうことを防止し、ユーザーがリモコン２５により操作しようとした場合は、所定の確認操作により、以降は報知することなく、リモコン２５による操作が可能となる。
【００７０】
また、上述した報知部３０による報知を行った後、本体操作部２３による所定の操作を検出した場合、リモコン操作無効フラグ２１ｃをセットし、以後のリモコン２５による操作を無効にする。これにより、リモコン２５を使わずに本体操作部２３だけの操作によりプロジェクター１を使用中に周辺機器のリモコン操作に反応してリモコン２５の操作保留状態が報知された場合、直ちにリモコン２５による操作を無効にし、以後リモコン操作信号を受信するたびに保留状態が報知されるのを防止することが可能となる。
【００７１】
また、上記実施形態は、以下のように変更してもよい。
（変形例１）
上述した実施形態において、報知部３０による報知を行った後、所定時間内（例えば１０秒）に、本体操作部２３による入力操作、及びリモコン２５から送信される操作信号のいずれも検出しなかった場合にリモコン操作無効フラグ２１ｃをセットし、以降のリモコン操作を無効にするようにしてもよい。
これにより、例えば、ユーザーがプロジェクター１から離れており、報知部３０の報知に気づかない場合、所定時間経過後は以後のリモコン２５による操作が無効になり、周辺の他の機器のリモコン操作信号に反応して、都度報知が繰り返され、プロジェクター１の動作に影響を及ぼすことを防止することが可能となる。
【符号の説明】
【００７２】
１…プロジェクター、３…画像信号処理部、４…ＯＳＤ処理部、５…画像信号入力部、６…電源端子、７…電源部、１０…画像投写部、１１…光源、１２Ｒ，１２Ｇ，１２Ｂ…液晶ライトバルブ、１３…投写レンズ、１４…液晶駆動部、２０…制御部、２０ａ…タイマー、２１…記憶部、２１ａ…本体操作使用回数、２１ｂ…リモートコントローラー（リモコン）操作保留フラグ、２１ｃ…リモートコントローラー（リモコン）操作無効フラグ、２２…光源制御部、２３…本体操作部、２４…操作信号受信部、２５…リモートコントローラー（リモコン／ＲＣ）、３０…報知部。
【図１】
2012178648.tif 000003
【図２】
2012178648.tif 000004
【図３】
2012178648.tif 000005
【図４】
2012178648.tif 000006
【図５】
2012178648.tif 000007